(57)【要約】【課題】  折り畳み式電気コネクターおよび同器を有する電力供給装置を提供する。【解決手段】  電力供給装置には、本体、第1電力接続部および折り畳み式電気コネクターが備えられる。本体には、その電力変換回路が備えられ、その第1面の第1ソケットを有する。第1電力接続部には本体に接続される末端がある。折り畳み式電気コネクターには、ハウジングおよび少なくとも1つの導電ピンが備えられる。ハウジングには、接続構成要素および受取部分が備えられる。接続構成要素は、本体の第1ソケットに電気的に接続される。導電ピンは、受取部分に選択的に収納され、ハウジングから突出するように、受取部分に配置され、ハウジングに対応して多角度に回転可能である。【選択図】  図３
2008086189.tif 000002
【特許請求の範囲】
【請求項１】
電力変換回路を備え、第1面に第1ソケットを有する本体；前記本体に接続される末端を有する第1電力接続部；ハウジングおよび少なくとも1つの導電ピンを備える折り畳み式電気コネクター；接続構成要素および受取部分を備える前記ハウジングとを備えた電力供給装置であって、
前記接続要素は前記本体の前記第1ソケットに電気的に接続され、前記導電ピンは前記受取部分に配置され、前記受取部分に選択的に収納される、または前記ハウジングから突出するように、前記ハウジングに対して、多角度で回転可能であることを特徴とする電力供給装置。
【請求項２】
前記電力変換回路が回路基板に提供され、前記第1ソケットが前記回路基板に電気的に接続され、前記本体には、さらに第2ソケットがその第2面に備えられ、前記第2ソケットは前記回路基板に電気的に接続され、前記第1電力接続部には、第1出力プラグ、電力ケーブルおよび第2出力プラグが備えられ、そこで前記第1出力プラグは、電子装置に電気的に接続され、前記第2出力プラグは、前記本体の前記第2ソケットに電気的に接続されることを特徴とする請求項1記載の電力供給装置。
【請求項３】
前記折り畳み式電気コネクターの前記受取部分は、前記ハウジングの第1側壁から凹面状に延ばされ、前記接続構成要素は前記ハウジングの第2側壁から突出しており、前記第2側壁は前記第1側壁に隣接していることを特徴とする請求項1記載の電力供給装置。
【請求項４】
前記受取部分で受けられるように、前記導電ピンが回転するとき、前記導電ピンは、前記受取部分の内部に収納され、前記導電ピンが前記受取部分から露出するように回転されるとき、外部電源に電気的に接続されるように、前記導電ピンは、第1面、第2面および前記本体の前記側壁から成るグループから選択されたものから突出し、そこで前記第2面は前記第1面の反対の位置にあることを特徴とする請求項３記載の電力供給装置。
【請求項５】
前記ハウジングには、第1カバーおよび第2カバーが備えられ、前記第1カバーおよび前記第2カバーが合わされるとき、レセプタクルは、明確にされることを特徴とする請求項1記載の電力供給装置。
【請求項６】
前記折り畳み式電気コネクターには、2つの導電ピンを備え、前記折り畳み式電気コネクターには、さらに前記2つの導電ピンを運ぶキャリヤー構成要素、そこで前記2つの導電ピンには、前記キャリヤー個性要素の2つの反対の位置にある面から突出する第2端子があり、前記キャリヤー構成要素は、プラスチック材で作られており、また前記キャリヤー構成要素の2つの反対の位置にある面に配置される2つのカムを備えることを特徴とする請求項1記載の電力供給装置。
【請求項７】
前記折り畳み式コネクターには、さらに第1導電要素および第2導電要素が備えられ、そのそれぞれには、第1導電部および第2導電部があり、そこで前記第1導電要素および前記第2導電要素の前記第1導電部は、前記2つの導電ピンの前記第2端子に電気的に接続され、前記第1導電要素および前記第2導電要素の前記第2導電部は、それぞれ前記接続構成要素の2つの溝にはめ込まれることを特徴とする請求項6記載の電力供給装置。
【請求項８】
前記折り畳み電気コネクターの前記ハウジングに配置され、それぞれ前記第1導電要素および前記第2導電要素の前記第1導電部にバイアスをかける2つのばねをさらに備えることを特徴とする請求項7記載の電力供給装置。
【請求項９】
前記折り畳み式電気コネクターには、さらに位置決め構成要素が備えられ、前記キャリヤー構成要素には、さらに複数のくぼみ構造が備えられ、そこで前記位置決め構成要素には、前記キャリヤー構成要素および前記2つの導電ピンが特定の位置に配置されるように前記キャリヤー構成要素の前記くぼみ構造の1つと係合する係合要素が備えられることを特徴とする請求項7記載の電力供給装置。
【請求項１０】
前記折り畳み式電気コネクターには、さらに2つの位置決め構成要素および2つの閉じ込め構成要素が備えられ、そこで前記位置決め構成要素には、前記キャリヤー構成要素および2つの導電ピンが特定の位置に配置されるように、対応するカムの突出構造と係合する第1係合要素および対応する閉じ込め構成要素の閉じ込め部に係合する第2係合要素が備えられることを特徴とする請求項7記載の電力供給装置。
【請求項１１】
前記位置決め構成要素は、多角形の位置決めリングであり、前記閉じ込め構成要素は、U字型の弾力性のある部分であることを特徴とする請求項10記載の電力供給装置。
【請求項１２】
前記折り畳み式電気コネクターには、回転軸としての機能を果たす前記2つの導電ピンの前記第2端子で前記2つの導電ピンが前記受取部分内部で回転されるように、さらに前記ハウジングの内面に配置され、前記2つの導電ピンの前記第2端子に対応する2つの支持構成要素が備えられることを特徴とする請求項10記載の電力供給装置。
【請求項１３】
電力変換回路を備え、第1面の第1ソケットを有する本体を備える電力供給装置；接続構成要素と受取部分を備え、そこで前記接続構成要素が前記本体の前記第1ソケットに電気的に接続されるハウジング；ならびに前記受取部分に配置され、前記受取部分に選択的に収納されるか、又は前記ハウジングから突出するように、前記ハウジングに対応して多角度回転可能な少なくとも1つの導電ピンを備える折り畳み式電気コネクター；からなることを特徴とする電力供給装置の折り畳み式電気コネクター。
【請求項１４】
電力変換回路を備え、第1面の第1ソケットを有する本体；前記本体に接続される末端を有する第1電力接続部；第1入力プラグ、電力ケーブルおよび第2入力プラグを備える第2電力接続部を備え、そこで前記第1入力プラグが前記本体の前記第1ソケットに選択的に接続され；ならびにハウジングおよび少なくとも1つの導電ピンを備える折り畳み式電気コネクター、接続構成要素および受取部分を備える前記ハウジングを備えた電力供給装置であって、
前記導電ピンは、前記受取部分に配置され、前記ハウジングに対応して多角度回転可能であり、前記接続構成要素は、前記本体の前記第1ソケットに選択的に接続され、そこで第1入力電圧は、前記第2電力接続部の前記第1入力プラグが前記本体の前記第1ソケットに接続されるとき、前記第2入力プラグによって受けられ、第2入力電圧は、前記折り畳み式電気コネクターの前記接続構成要素が前記本体の前記第1ソケットに接続されるとき、前記導電ピンによって受けられることを特徴とする電力供給装置。
【発明の詳細な説明】
【技術分野】
【０００１】
本発明は、電気コネクターにおいて、特に折り畳み式電気コネクターに関するものである。本発明はまた、当該折り畳み式コネクターを有する電力供給装置に関するものでもある。
【背景技術】
【０００２】
最近、携帯用電子機器設計の一般的傾向は、小型、軽量および容易な携帯性に向かっている。携帯電話、携帯端末（PDA）、デジタルスチルカメラ、ノートパソコンなどのような携帯用電子機器には、電池が内蔵されている。携帯用電子機器に電力を供給するために、外部電源装置が提供されていない場合、内蔵電池は、普通、主電源として使用される。電池から供給される電力が不十分な場合、使用者は、交流電力を受けるために、大部分の家庭またはオフィスで普通に見られる交流の壁コンセントに、電力供給装置（例えば、直交電源アダプターおよび充電器の電気コネクターをただ差し込めばよい。交流電源は、その後、携帯用電子機器に使用されるか、内蔵電池に充電するための両方またはそのいずれかのために、直流電源に変換される。
【０００３】
図1を参照すると、従来の電力供給装置の概略図が説明される。電力供給装置1には、本体11、第1電力接続部12および第2電力接続部13が備えられる。本体11の第1面110には、入力ソケット111が備えられる。入力ソケット111には、本体1内部の回路基板（図示せず）に電気的に接続される第1端子およびその受取部分113内部に収容できる第2端子を有する複数の導電ピン112が備えられる。外部電源から送られる交流電圧は、本体11の内側の回路基板の電気回路によって、安定化直流出力電圧に変換される。
【０００４】
第1電力接続部12には、出力プラグ120および電力ケーブル121が備えられる。電力ケーブル121には、本体11内部の回路基板（図示せず）に接続される末端および出力プラグ120に接続されるもう一方の末端がある。安定化直流出力電圧が携帯用電子機器に送られるように、出力プラグ120は、ノートパソコンのような携帯用電子機器の受電ソケットに差し込まれてもよい。第2電力接続部13には、第1入力プラグ130、電力ケーブル131および第2入力プラグ132が備えられる。第1入力プラグ130は、本体11の入力ソケット111に差し込まれる。第1入力プラグ130には、入力ソケット111の導電ピン112に電気的に接続される導電ピンがある。第2入力プラグ132は、交流電力を受けるために、大部分の家庭またはオフィスで普通に見られる交流の壁コンセントに差し込まれてもよい。
【０００５】
電力供給装置1がノートパソコンのような携帯用電子機器で使用されるとき、第1電力接続部12の出力プラグ120は、携帯用電子機器の受電ソケットに差し込まれ、第1入力プラグ130は、本体11の入力ソケット111に差し込まれ、第2入力プラグ132は、交流の壁コンセントに差し込まれる。交流電圧は、第2入力プラグ132、電力ケーブル131および第2電力接続部13の第1入力プラグ130を通して外部電源から電力供給装置1に送られ、その後本体11の内側の回路基板の電気回路によって、安定化直流出力電圧に変換される。安定化直流出力電圧は、その後電力ケーブル121および第1電力接続部12の出力プラグ120を通して携帯用電子機器に供給され、それによって携帯用電子装置に電力を供給するか、携帯用電子機器に内蔵される電池に充電するかの両方またはそのいずれかである。
【０００６】
電力供給装置が直接電力および再充電機能を提供することができるが、まだ多少の難点がある。例えば、収納のため束ねた電力ケーブルを固定するために、ストラップが普通使用される。束ねた電力ケーブルは、本体の上にぶら下がり、結果的に外観が劣り、大きなスペースをとることになる。なおその上、外部電源からの交流電圧は、国によって異なる。すなわち、第2電力接続部13の1セットは、どこでも使用することができるわけではないことがある。第2電力接続部13の別のセットが携行される場合、その携行品の容積および全重量は増加する。その上、スペース利用の制限の理由から、電力供給装置1は、時には壁にかける必要があることがある。第2電力接続部13が、電力ケーブル131で加えられる外力に応えて本体11から離れている場合、突然の停電が起こり、電力供給装置1が故障することがある。
【０００７】
上記課題を解決するために、別の電力供給装置が開発された。図2を参照すると、別の従来の電力供給装置の概略図が説明される。電力供給装置2には、本体21、第1電力接続部22および第2電力接続部23が備えられる。本体21の第1面210には、入力ソケット211が備えられる。入力ソケット211には、本体21内部の回路基板（図示せず）に電気的に接続される第1端子およびその受取部分内部に収容できる第2端子を有する複数の導電ピン212が備えられる。第1電力接続部22には、出力プラグ220および電力ケーブル221が備えられる。電力ケーブル221には、本体21内部の回路基板（図示せず）に接続される末端および出力プラグ220に接続されるもう一方の末端がある。安定化直流出力電圧が携帯用電子機器に送られるように、出力プラグ220は、ノートパソコンのような携帯用電子機器の受電ソケットに差し込まれてもよい。特に、第2電力接続部23は、実質上、ダックヘッド・コネクターとも呼ばれる電気コネクターである。第2電力接続部23には、ハウジング230、導電ピン231および突出部分232が備えられる。導電ピン231には、突出部分232内部に収容される第1端子およびハウジング230の表面から突出される第2端子がある。突出部分232が本体21の入力ソケット211に挿入された後、突出部分232の内部の導電ピンは、入力ソケット211内部の導電ピン212に電気的に接続される。
【０００８】
第2電力接続部23には、電力ケーブルはないので、電力ケーブルを収納するという課題は解決されている。しかしながら、導電ピン231がハウジング230から突出し、折り畳みができないので、利用スペースが非常に狭い場合、交流電圧を受けるために、導電ピン231を、交流の壁コンセントに差し込むことができないことがある。その結果、電力供給装置2は、多くの状況において適していない。
【０００９】
従来の方法に起因する上記の不利な点を考慮して、出願人は、精魂を傾けた経験および研究の結果としての本発明による折り畳み式電気コネクターの開発を、たゆまず築き上げ続ける。
【発明の開示】
【発明が解決しようとする課題】
【００１０】
必要に応じて導電ピンが収納される、または突出するように、導電ピンの多角度かつ全指向性の回転を可能にすることができる折り畳み式電気コネクターを提供することが、本発明の目的である。
【００１１】
本発明の別の目的は、当該折り畳み式電気コネクターを有する電力供給装置を提供することである。
【課題を解決するための手段】
【００１２】
本発明の第1の態様に従って、電力供給装置が提供される。電力供給装置は、本体、第1電力接続部および折り畳み式コネクターから成る。本体には、そこに電力変換回路が備えられ、その第1面に第一ソケットを有する。第1電力接続部には本体に接続される末端がある。折り畳み式電気コネクタターには、ハウジングおよび受取部分が備えられる。接続構成要素は、本体の第1ソケットに電気的に接続される。選択的に受取部分に収納されるか、またはハウジングから突出されるように、導電ピンは受取部分に配置され、ハウジングに対して多角度に回転可能である。
【００１３】
本発明の第2の発明に従って、電力供給装置の折り畳み式電気コネクターが提供される。電力供給装置は、その電力変換回路を備え、その第1面に第1ソケットを有する本体から成る。折り畳み式コネクターは、ハウジングおよび少なくとも導電ピンから成る。ハウジングには、接続構成要素および受取部分を備え、そこで接続構成要素は本体の第1ソケットに電気的に接続される。選択的に受取部分に収納されるか、またはハウジングから突出するように、導電ピンは、受取部分に配置され、多角度に回転可能である。
【００１４】
本発明の第3の態様に従って、電力供給装置が提供される。電力供給装置は、本体、第1電力接続部、第２電力接続部および折り畳み式電気コネクターから成る。本体には、その電力変換回路が備えられ、その第1面に第1ソケットがある。第1電力接続部には、本体に接続される末端がある。第2接続部には、第1入力プラグ、電力ケーブルおよび第2入力プラグが備えられ、そこで第1入力プラグは、本体の第1ソケットに選択的に接続される。折り畳み式電気コネクターには、ハウジングおよび少なくとも1つの導電ピンが備えられる。導電ピンは、受取部分に配置され、ハウジングに対して多角度に回転可能であり、接続構成要素は本体の第1ソケットに選択的に接続される。特に、第2電力接続部の第1入力プラグが本体の第1ソケットに接続されるとき、第1入力電圧は、第2入力プラグによって受けられ、折り畳み式電気コネクターの接続構成要素が本体の第1ソケットに接続されるとき、第2入力電圧は導電ピンによって受けられる。
【発明の効果】
【００１５】
本発明によれば、折り畳み式電気コネクターは導電ピンの多角度および全指向性回転を可能にすることができ、その結果導電ピンは、必要に応じて収納または突出されることがある。なおその上、折り畳み式電気コネクターが本体の入力ソケットにしっかりと接続されるので、折り畳み式電気コネクターは、外部の力に反応して本体から容易に取り外されない。さらに、付加的従来の電力接続部を携行することによって、電力供給装置は外部電力を受けるため、異なる仕様の交流の壁コンセントに差し込まれることができ、その結果電力供給装置の応用範囲が広げられる。
【００１６】
本発明の上記目的および利点は、以下の詳細な説明および添付図面を検討後、当業者にとってより容易に明らかとなるであろう。
【発明を実施するための最良の形態】
【００１７】
本発明は、以下の実施態様に関して、これからより具体的に説明される。本発明の好適な実施態様の以下の説明は、解説および説明目的でのみ、ここで提示されることを注意するべきである。開示される明確な形態に対して包括的であること、またはそれに限定されることを目的としていない。
【００１８】
図3を参照すると、本発明の好適な実施態様による電力供給装置の概略図が説明される。電力供給装置3には、本体31、第1電力接続部32および折り畳み式電気コネクター33が備えられる。電力供給装置3の本体31には、その電力変換回路（図示せず）を有する回路基板316が備えられる。本体31の第1面には、入力ソケット311が備えられる。入力ソケット311には、本体31の内部の回路基板316に電気的に接続される第1端子を有する複数の導電ピン312およびその受取部分内部313に収容される第2端子が備えられる。本体31の第2面314には、出力ソケット315が備えられる。出力ソケット315はまた、回路基板316に電気的に接続される。外部電源から送られる交流電圧は、本体31の内側の回路基板の電気回路によって安定化直流出力電圧に変換される。
【００１９】
第1電力接続部32には、第1出力プラグ320、電力ケーブル321および第2出力プラグ322が備えられる。第2出力プラグ322は、本体31の出力ソケット315に差し込まれてよい。安定化直流出力電圧が携帯用電子機器に送られるように、第1出力プラグ320は、ノートパソコンのような携帯用電子機器の受電ソケットに差し込まれる。
【００２０】
再度図3を参照されたい。折り畳み式コネクター33には、ハウジング330および少なくとも1つの導電ピン331が備えられる。ハウジング330には、接続構成要素332および受取部分333が備えられる。接続構成要素332は、本体31の入力ソケット311に取り外し可能に挿入される。導電ピン331は、受取部分333で受けられ、ハウジング330に対して回転されることができる。折り畳み式電気コネクター33が使用されない場合、接続構成要素332は、本体31の入力ソケット311から取り外されることがあり、導電ピン331の多角度回転は、受取部分333内部に導電ピン331が収納されるように行われる。一方、電力供給装置3の操作中、導電ピン331は、交流電圧を受ける交流の壁コンセントに差し込まれるように、受取部分から露出するよう回転される。
【００２１】
折り畳み式電気コネクター33のいくつかの使用状態を説明する図4(a)、4(b)、4(c)および4(d)を参照されたい。図4(a)に示されるように、ハウジング330の受取部分333で受けられるように、導電ピン331が回転されるとき、導電ピン331は、交流の壁コンセントに差し込まれることができず、折り畳み式電気コネクター33は使用されない。図4(b)に示されるように、導電ピン331は、受取部分333から露出され、ハウジング330の第1面330aから突出するように回転される。図4(d)に示されるように、導電ピン331は、受取部分333から露出され、ハウジング330の第2面330bから突出するように回転される。この実施態様において、第2面330bは、第1面330の反対の位置にある。図4(c)に示されるように、導電ピン331は、受取部分333から露出され、ハウジング330の第1側壁330cから突出するように回転される。図4(b)、4(c)および4(d)において、導電ピン331は、交流電圧を受ける交流の壁コンセントに差し込まれてよい。結果として、導電ピン331の多角度および全指向性の回転が可能である。再度図3(c)を参照されたい。折り畳み式電気コネクター33の受取部分333は、ハウジング330の第1側壁330cから凹状に拡げられる。接続構成要素332は、ハウジング330の第2側壁330dから突出する。この実施態様において、第2側壁330dは、第1側壁330cの隣にある。
【００２２】
折り畳み式電気コネクター33のその他のいくつかの使用状態を説明する図5(a)、5(b)および5(c)を参照されたい。これらの実施態様において、折りたたみ式電気コネクター33の軸は、図4(a)〜4(d)の実施態様と比較して、受取部分333の最下部により近い。図5(a)に示されるように、導電ピン331がハウジング330の受取部分333で受けられるように回転されるとき、導電ピン331は交流の壁コンセントに差し込まれることができず、折り畳み式電気コネクターは使用されない。図5(b)に示されるように、導電ピン331は受取部分333から露出され、ハウジング330の第2面330aから突出するように回転される。この実施態様においては、第2面330bは第1面330aの反対の位置にある。図5(b)および5(a)において、導電ピン331は交流電圧を受ける交流の壁コンセントに差し込まれることがある。結果として、導電ピン331の多角度または全指向性の回転が可能である。
【００２３】
図6を参照すると、本発明の好適な実施態様による折り畳み式電気コネクターの概略分解図が説明される。ハウジング330には、第1カバー3301および第2カバー3302が備えられる。第1カバー3301および第2カバー3302が合わされた後、受取り部分333が形成される。図6に示されるように、2つの導電ピン331は、例えばプラスチック材料で作られたキャリヤー構成要素334上を運ばれる。導電ピン331には、キャリヤー構成要素334の末端面から突出する第1端子331aがあり、第2端子331bは、キャリヤー構成要素334の2つの反対の位置にある側面から突出している。導電ピン331の第2端子331bは、導電回転軸として協調して形成される。2つのカム334aは、キャリヤー構成部分334のこれら2つの反対の位置にある側面に配置される。
【００２４】
折り畳み式電気コネクター33には、さらに第1導電要素335および第2導電要素336が備えられる。第1導電要素335には、第1導電部335aおよび第2導電部335bが備えられる。第2導電要素336には、第1導電部336aおよび第2導電部336bが備えられる。第1導電要素335は、第1導電要素335がハウジング330のレセプタクル3303内部に収容されるように、実質上L字型である。第1導電部335aおよび336bのそれぞれは、実質上その側壁に少なくとも1つの継ぎ目のあるスリーブである。その継ぎ目は、導電ピン331の第2端子331bとスリーブ（すなわち、第1導電部335aおよび336a）の間の弾力のある接続を容易にすることができる。導電ピン331の回転角度に関係なく、第1導電部335aおよび336aは、導電ピン331の第2端子331bに常に電気的に接続される。いくつかの実施態様において、第1導電要素335および第2導電要素336には、さらにそれぞれ第3導電部335cおよび336cが備えられる。第3導電部335cおよび336cは、第1導電要素335および第2導電要素336が、導電ピン331の第2端子331bに電気的に接続されることを確実にするために、導電ピン331の第2端子331bの先端と接触している。導電ピン331の第2端子331bの先端は、半球形の面を有することがある。第1導電要素335の第2導電部335bおよび第2導電要素336の第2導電部336bは、接続構成要素332の溝332aおよび332bにはめ込まれる。
【００２５】
再度図6を参照されたい。折り畳み式電気コネクター33には、さらに2つの位置決め構成要素337が備えられる。位置決め構成要素337は、実質上中央に打ち抜き穴337aのある位置決めリングである。キャリヤー構成要素334のカム334aには、位置決め構成要素337の打ち抜き穴337aの周辺のくぼみ構造のような第1係合構成要素337aに対応する突出構造334bがある。カム334aの突出構造334bが位置決め構成要素337の第1係合要素337cと係合されるとき、位置決め構成要素337は、キャリヤー構成要素334上に固定される。位置決め構成要素337の外側周辺には、さらにいくつかの第2係合構成要素337bが備えられ、それらは一定間隔を置いて別個に配置される。できれば、第2係合要素337bもまた、くぼみ構造であることが望ましい。いくつかの実施態様では、折り畳み式電気コネクター33には、さらに2つの閉じ込め構成要素338が備えられる。閉じ込め構成要素338は、ハウジング330のレセプタクル3303内部に配置され、位置決め構成要素337に対応している。閉じ込め構成要素338は、U字型の弾力性のある部分である。閉じ込め構成要素338には、閉じ込め部338aが備えられ、それは位置決め構成要素337の第2係合要素337bと係合される。閉じ込め構成要素338の閉じ込め部338aが位置決め構成要素337の第2係合要素337bと係号されるとき、キャリヤー構成要素334および導電ピン331は、特定の位置に配置される。折り畳み式電気コネクター33には、さらに2つの支持構成要素3304が備えられる。支持構成要素3304は、第1カバー3301の内面に配置され、導電ピン331の第2端子331bに対応する。結果として、回転軸としての機能を果たす導電ピン331の第2端子331bによって、導電ピン331の多角度または全指向性回転が行われる。いくつかの実施態様において、位置決め構成要素337および閉じ込め構成要素338は、プラスチックまたは金属材料で作られている。
【００２６】
図7を参照すると、本発明の別の好適な実施態様による折り畳み式電気コネクターの概略分解図が説明される。ハウジング330には、第1カバー3301および第2カバー3302が備えられる。第1カバー3301および第2カバー3302が合わされた後、受取り部分333が形成される。図7に示されるように、2つの導電ピン331は、例えばプラスチック材料で作られたキャリヤー構成要素334上を運ばれる。導電ピン331には、キャリヤー構成要素334の末端面から突出する第1端子331aがあり、第2端子331bは、キャリヤー構成要素334の2つの反対の位置にある側面から突出している。2つのカム334aは、キャリヤー構成部分334のこれら2つの反対の位置にある側面に配置され、回転軸として協調して形成される。
【００２７】
折り畳み式電気コネクター33には、さらに第1導電要素335および第2導電要素336が備えられる。第1導電要素335には、第1導電部335aおよび第2導電部335bが備えられる。第2導電要素336には、第1導電部336aおよび第2導電部336bが備えられる。第1導電要素335は、第1導電要素335がハウジング330のレセプタクル3303内部に収容されるように、実質上U字型である。第1導電部335aおよび336aは、導電ピン331の第2端子331bに電気的に接続される。第1導電要素335の第2導電部335bおよび第2導電要素336の第2導電部336bは、接続構成要素332の溝332aおよび332bにはめ込まれる。いくつかの実施態様においては、第2導電要素336の第1導電部336aおよび第2導電部336bは、分離した構成部分である。結合要素336dを用いて、第1導電部336aは、第2導電部336bと結合する。
【００２８】
再度図7を参照されたい。キャリヤー構成要素334および導電ピン331は、ハウジング330の受取部分333に配置される。折り畳み式電気コネクター33には、さらに2つの支持構成要素3304が備えられる。支持構成要素3304は、第1カバー3301の内面に配置され、カム334aに対応し、それらはキャリヤー構成要素334の反対の位置にある側面に配置される。結果として、回転軸としての機能を果たすカム334aによって、導電ピン331の多角度または全指向性回転が行われる。折り畳み式電気コネクター33には、さらに2つの位置決め構成要素337が備えられる。位置決め構成要素337は、実質上中央に打ち抜き穴337aがある多角形の位置決めリングである。位置決め構成要素337は、位置決め構成要素337がキャリヤー構成要素334に固定されるように、導電ピン331の第2端子331bの周囲で覆われている。位置決め構成要素337の外縁には、さらにいくつかの位置決め部337dが備えられ、多角形の位置決めリングの端となっている。いくつかの実施態様において、折り畳み式電気コネクター33には、さらに2つの閉じ込め構成要素338が備えられる。閉じ込め構成要素338は、ハウジング330のレセプタクル3303内部に配置され、位置決め構成要素337に対応している。閉じ込め構成要素338は、U字型の弾力性のある部分である。閉じ込め構成要素338には、閉じ込め部338aが備えられ、それは位置決め構成要素337の位置決め部337dに支えられる、または係合される。閉じ込め構成要素338の閉じ込め部338aが位置決め構成要素337の位置決め部337dに支えられる、または係号されるとき、キャリヤー構成要素334および導電ピン331は、特定の位置に配置される。
【００２９】
電力供給装置を使用する実施態様を図式的に説明する図8を参照されたい。折り畳み式電気コネクター33に加えて、電力供給装置には、さらに第2電力接続部35が備えられる。第2電力接続部35には、第1入力プラグ350、電力ケーブル351および第2入力プラグ352が備えられる。折り畳み式電気コネクター33または第2電力接続部35が本体31の入力ソケット311に選択的に接続された後、電力供給装置は、外部電力を受けるために、異なる仕様の交流の壁コンセントに差し込まれることができる。
【００３０】
図9を参照すると、本発明の別の好適な実施態様による電力供給装置の概略図が説明される。電力供給装置4には、本体41、第1電力接続部42および折り畳み式電気コネクター43が備えられる。電力供給装置4の本体41には、その電力変換回路（図示せず）を有する回路基板416が備えられる。本体41の第1面410には、入力ソケット411が備えられる。入力ソケット411には、本体41内部の回路基板416に電気的に接続される第1端子およびその受取部分413内部に収容される第2端子を有する複数の導電ピン412が備えられる。本体41の第2面414には、出力ソケット415が備えられる。出力ソケット415はまた、回路基板416に電気的に接続される。外部電源から送られる交流電圧は、本体41内側の回路基板の電気回路によって、安定化直流出力電圧に変換される。
【００３１】
第1電力接続部42には、第1出力プラグ420、電力ケーブル421および第2出力プラグ422が備えられる。第2出力プラグ422は、本体41の出力ソケット415に差し込まれることがある。第1出力プラグ420は、ノートパソコンのような携帯用電子機器の受電ソケットに差し込まれ、その結果安定化直流出力電圧は、携帯用電子機器に送られる。
【００３２】
再度図9を参照されたい。折り畳み式電気コネクター43には、ハウジング430および少なくとも1つの導電ピン431が備えられる。ハウジング430には、接続構成要素432および受取部分433が備えられる。接続構成要素432は、本体41の入力ソケット411に取り外し可能で挿入される。導電ピン431は、受取部分433で受けられ、ハウジング430に対して回転されることができる。折り畳み式電気コネクター43が使用されない場合、接続構成要素432は、本体41の入力ソケット411から取り外されることがあり、導電ピン431が受取部分433内部に収納されるように、導電ピン431の多角度回転が行われる。ところが、電力供給装置4の操作中、交流電圧を受ける交流の壁コンセントに差し込まれるように、導電ピン431は受取部分433から露出するよう回転される。
【００３３】
再度図9を参照されたい。折り畳み式電気コネクター43のハウジング430には、さらに側壁に形成され、接続構成要素432に隣接するへこみ4305が備えられる。折り畳み式電気コネクター43のハウジング430には、さらに別の側壁から延び、接続構成要素432に平行な延長部4306が備えられる。折り畳み式電気コネクター43の接続構成要素432が本体41の入力ソケット411に取り外し可能で挿入されるとき、折り畳み式電気コネクター43のへこみ4305は、本体41の第1面410に形成される突出部418と係合されることができ、延長部4306は、折り畳み式電気コネクター43が本体41にしっかりと固定されることができるように、第1面410に隣接する1つの側面に形成される係合部417と係合されることができる。なおその上、折り畳み式電気コネクター43のハウジング430には、さらに1つの面に形成され、受取部分433に隣接する凹面4307が備えられる。凹面4307は、導電ピン431を回転させるために、使用者の指が導電ピン431に力を及ぼすためのスペースを提供することができる。
【００３４】
図10を参照すると、本発明の別の好適な実施態様による折り畳み式電気コネクターの概略分解図が説明される。ハウジング430には、第1カバー4301および第2カバー4302が備えられる。第1カバー4301および第2カバー4302が合わされた後、受取り部分433が形成される。図10に示されるように、2つの導電ピン431は、例えばプラスチック材料で作られたキャリヤー構成要素434上を運ばれる。導電ピン431には、キャリヤー構成要素434の末端面から突出する第1端子431aがあり、第2端子431bは、キャリヤー構成要素434の2つの反対の位置にある側面から突出している。2つのカム434aは、キャリヤー構成部分434のこれら2つの反対の位置にある側面に配置され、回転軸として協調的に形成される。
【００３５】
折り畳み式電気コネクター43には、さらに第1導電要素435および第2導電要素436が備えられる。第1導電要素435には、第1導電部435aおよび第2導電部435bが備えられる。第2導電要素436には、第1導電部436aおよび第2導電部436bが備えられる。第1導電要素435は、第1導電要素435がハウジング430のレセプタクル4303内部に収容されるように、実質上L字型である。第1導電部435aおよび436aのそれぞれには、突出部がある。突出部は、導電ピン431の第2端子431bとの接続を容易にすることができる。
【００３６】
導電ピン431の回転角度に関係なく、第1導電部435aおよび436aは、導電ピン431の第2端子431bに常に電気的に接続される。いくつかの実施態様において、第1導電部435aおよび436aが、バネ436によって提供される力によって導電ピン431の第2端子431bに常に電気的に接続されるように、2つのばね436cは、ハウジング430に配置され、第1導電要素435および第2導電要素436それぞれの第1導電部435aおよび436aにバイアスをかける。第1導電要素435の第2導電部435bおよび第2導電要素436の第2導電部436bは、接続構成要素432の溝432aおよび432bにはめ込まれる。
【００３７】
再度図10を参照されたい。折り畳み式電気コネクター43には、さらに位置決め構成要素437が備えられる。位置決め構成要素437は、ハウジング430の内部側壁に形成されるスロット437cに挿入される2つの末端437aを有する弾力性のある構成要素である。位置決め構成要素437には、中心部の突出構造のような、キャリヤー構成要素434の周辺に形成されるくぼみ構造434bに対応する係合要素437bがある。キャリヤー構成要素434の周辺に形成されるくぼみ構造434bは、一定の間隔を置いて別個に配置される。位置決め構成要素437の係合要素437bがキャリヤー構成要素434のくぼみ構造434bの1つと係合されるとき、キャリヤー構成要素434は、位置決め構成要素437に固定される。折り畳み式電気コネクター43には、さらに2つの支持構成要素4304が備えられる。支持構成要素4304は、第1カバー4301の内面に配置され、キャリヤー構成要素434のカム434aに対応する。結果として、回転軸としての機能を果たすカム434aによって、導電ピン431の多角度または全指向性回転が行われる。いくつかの実施態様において、位置決め構成要素437は、金属材で作られている。
【００３８】
本発明は現在最も実用的かつ好適な実施態様であるものに関して説明されてきたが、本発明は、開示される実施態様に限定される必要はないことが了解される。それとは反対に、最も広い解釈と一致する添付請求項の精神および範囲内に備えられるさまざまな変更および類似の構成を対象とすることを目的としている。
【図面の簡単な説明】
【００３９】
【図１】従来の電力供給装置の概略図である。
【図２】別の電力供給装置の概略図である。
【図３】本発明の好適な実施態様による電力供給装置の概略図である。
【図４ａ】折り畳み式電気コネクターの使用状態を図式的に説明する。
【図４ｂ】折り畳み式電気コネクターの使用状態を図式的に説明する。
【図４ｃ】折り畳み式電気コネクターの使用状態を図式的に説明する。
【図４ｄ】折り畳み式電気コネクターの使用状態を図式的に説明する。
【図５ａ】折り畳み式電気コネクターの使用状態を図式的に説明する。
【図５ｂ】折り畳み式電気コネクターの使用状態を図式的に説明する。
【図５ｃ】折り畳み式電気コネクターの使用状態を図式的に説明する。
【図６】本発明の好適な実施態様による折り畳み式電気コネクターの概略分解図である。
【図７】本発明の別の好適な実施態様による折り畳み式電気コネクターの概略分解図である。
【図８】電力供給装置を使用する実施態様を図式的に説明する。
【図９】本発明の別の好適な実施態様による電力供給装置の概略図である。
【図１０】本発明の別の好適な実施態様による折り畳み式電気コネクターの概略分解図である。
【符号の説明】
【００４０】
１        電力供給装置
２        電力供給装置
３        電力供給装置
４        電力供給装置
１１      本体
１２      第1電力接続部
１３      第2電力接続部    
２１      本体      
２２      第１電力接続部
２３      第2電力接続部
３１      本体
３２      第1電力接続部
３３      折り畳み式電気コネクター
４１      本体
４２      第1電力接続部
１１０    第１面
１１１    入力ソケット
１１２    導電ピン
１１３    受取部分
１２０    出力プラグ
１２１    電力ケーブル
１３０    第１入力プラグ
１３１    電力ケーブル
１３２    第2入力プラグ
２１０    第1面
２１１    入力ソケット
２１２    導電ピン
２２０    出力プラグ
２２１    電力ケーブル
２３０    ハウジング
２３１    導電ピン
２３２    突出部分
３１１    入力ソケット
３１２    導電ピン
３１３    受取部分内部
３１４    第2面
３１５    出力ソケット
３１６    回路基板
３２０    第1出力プラグ
３２１    電力ケーブル
３２２    第2出力プラグ
３３０    ハウジング
３３０ａ  第2面
３３０ｂ  第2面
３３０ｃ  第１側壁
３３０ｄ  第2側壁
３３１    導電ピン
３３１ａ  第1端子
３３１ｂ  第2端子
３３２    接続構成要素
３３２ａ  溝
３３２ｂ  溝
３３３    受取部分
３３４    キャリヤー構成要素
３３４ａ  カム
３３４ｂ  突出構造
３３５    第1導電要素
３３５ａ  第1導電部
３３５ｂ  第2導電部
３３５ｃ  第3導電部
３３６    第2導電要素
３３６ａ  第1導電部
３３６ｂ  第2導電部
３３７    位置決め構成要素
３３７ａ  打ち抜き穴
３３７ｂ  第２係合構成要素
３３７ｃ  第1係合要素
３３７ｄ  位置決め部
３３８    閉じ込め構成要素
３３８ａ  閉じ込め部
３５０    第1入力プラグ
３５１    電力ケーブル
３５２    第2入力プラグ
４１０    第1面
４１１    入力ソケット
４１２    導電ピン
４１３    受取部分
４１４    第2面
４１５    出力ソケット
４１６    回路基板
４１７    係合部
４２０    第1出力プラグ
４２１    電力ケーブル
４２２    第2出力プラグ
４３０    ハウジング
４３１    導電ピン
４３１ａ  第1端子
４３１ｂ  第2端子
４３２    接続構成要素
４３２ａ  溝
４３２ｂ  溝
４３３    受取部分
４３４    キャリヤー構成要素
４３４ａ  カム
４３４ｂ  くぼみ構造
４３５    第1導電要素
４３５ａ  第1導電部
４３５ｂ  第2導電部
４３６    第2導電要素
４３６ａ  第1導電部
４３６ｂ  第2導電部
４３６ｃ  ばね
４３７    位置決め構成要素
４３７ａ  末端
４３７ｂ  係合要素
４３７ｃ  スロット
３３０１  第1カバー
３３０２  第2カバー
３３０３  レセプタクル
３３０４  支持構成要素
４３０１  第1カバー
４３０２  第2カバー
４３０３  レセプタクル
４３０４  支持構成要素
４３０５  へこみ
４３０６  延長部
４３０７  凹面
【図１】
2008086189.tif 000003
【図２】
2008086189.tif 000004
【図３】
2008086189.tif 000005
【図４ａ】
2008086189.tif 000006
【図４ｂ】
2008086189.tif 000007
【図４ｃ】
2008086189.tif 000008
【図４ｄ】
2008086189.tif 000009
【図５ａ】
2008086189.tif 000010
【図５ｂ】
2008086189.tif 000011
【図５ｃ】
2008086189.tif 000012
【図６】
2008086189.tif 000013
【図７】
2008086189.tif 000014
【図８】
2008086189.tif 000015
【図９】
2008086189.tif 000016
【図１０】
2008086189.tif 000017
【外国語明細書】
2008086189.tif 000018
2008086189.tif 000019
2008086189.tif 000020
2008086189.tif 000021
2008086189.tif 000022
2008086189.tif 000023
2008086189.tif 000024
2008086189.tif 000025
2008086189.tif 000026
2008086189.tif 000027
2008086189.tif 000028
2008086189.tif 000029
2008086189.tif 000030
2008086189.tif 000031
2008086189.tif 000032
2008086189.tif 000033
2008086189.tif 000034
2008086189.tif 000035
2008086189.tif 000036
2008086189.tif 000037
2008086189.tif 000038
2008086189.tif 000039
2008086189.tif 000040
2008086189.tif 000041
2008086189.tif 000042
2008086189.tif 000043
2008086189.tif 000044
2008086189.tif 000045
2008086189.tif 000046
2008086189.tif 000047
2008086189.tif 000048
2008086189.tif 000049
2008086189.tif 000050
2008086189.tif 000051
2008086189.tif 000052